(57)【要約】【課題】  情報を記入した葉書本体片を隠蔽用紙片で隠蔽する際に、貼り位置ズレが発生しても、粘着面がはみ出して露出することない、また、受取人が再開封し易い隠蔽葉書を提供するものである。【解決手段】  基紙の略中央に設けられた折目線を介して、葉書本体片と隠蔽用紙片とが連接され、前記隠蔽用紙片上に、前記折目線にて二つ折りされ内側となる面に接着剤層を介して、上面に透明な粘着剤層及び下面に剥離剤層を有する透明性シートと、剥離紙とが順次重ねられた葉書において、前記隠蔽用紙片の寸法が葉書本体片寸法より小さくされていることを特徴とする隠蔽葉書。【選択図】        図１
2006255917.tif 000002
【特許請求の範囲】
【請求項１】
基紙の略中央に設けられた折目線を介して、葉書本体片と隠蔽用紙片とが連接され、前記隠蔽用紙片上に、前記折目線にて二つ折りされ内側となる面に接着剤層を介して、上面に透明な粘着剤層及び下面に剥離剤層を有する透明性シートと、剥離紙とが順次重ねられた葉書において、前記隠蔽用紙片の寸法が葉書本体片寸法より小さくされていることを特徴とする隠蔽葉書。
【請求項２】
前記透明シートの下面側における一側端縁部に、前記透明シートの下面の一部と、前記隠蔽用紙片の上面の一部とが直接接着されていることを特徴とする請求項１記載の隠蔽葉書。
【請求項３】
基紙の略中央に設けられた折目線を介して、葉書本体片と隠蔽用紙片とが連接され、前記隠蔽用紙片上に、前記折目線にて二つ折りされ内側となる面に剥離剤層が設けられ、接着剤層を介して、上面に透明な粘着剤層を有する透明性シートと、剥離紙とが順次重ねられた葉書において、前記隠蔽用紙片の寸法が葉書本体片寸法より小さくされていることを特徴とする隠蔽葉書。
【請求項４】
前記透明シートの下面側における一側端縁部に、前記透明シートの下面の一部と、前記隠蔽用紙片の上面の一部とを直接接着されていることを特徴とする請求項３記載の隠蔽葉書。
【請求項５】
前記剥離剤層に着色したことを特徴とする請求項３又は４記載の隠蔽葉書。
【発明の詳細な説明】
【技術分野】
【０００１】
本発明は、記載された内容の秘密保持を可能とした隠蔽葉書に関し、特に、郵送された葉書が受取人に渡る前に、その葉書に記入された情報が第三者に開封され盗み見された場合、その事実が残り確認可能であり、また第三者に開封されることを未然に防ぐことが可能な隠蔽葉書に関するものである。
【背景技術】
【０００２】
従来、郵送された葉書に記載された内容が、受取人に渡る前の段階で、第三者に盗み見られないように工夫された隠蔽葉書が種々開発され、既に使用されている。これらの隠蔽葉書については、例えば、葉書サイズの略２倍の折畳み用紙を用いて折り用ミシン目を介し、隠蔽片（上片）、情報を記入する葉書本体片（下片）からなる二折葉書において、葉書本体片に隠蔽用紙片を接着し隠蔽状態にされた葉書を受取人が、その葉書を受け取った後に、見開きできるように隠蔽片との間に透視できしかも層間が剥離可能に重合された接合材の両側に透明な粘着剤を有する透明シートなどを設けた情報隠蔽葉書作成用紙片が知られている（例えば、特許文献１及び２参照）。
【０００３】
しかしながら、上記の特許文献１及び２に開示された隠蔽葉書は、葉書本体片に記入された情報を隠蔽状態にするために、剥離紙を剥離して、粘着剤層を露出させ、その後、折り用ミシンで折畳み葉書本体片に記入された情報を隠蔽して郵送されるものであり、隠蔽する際に、葉書本体片と略同サイズの隠蔽用紙片の全面に設けられた粘着剤層面を情報を記入した葉書本体片に折畳みながら隠蔽するときに、折り曲がり等により、隠蔽用紙片と葉書本体片との貼り位置ズレが起こり、粘着剤が露出した状態になる部分が発生する場合がある。このような隠蔽葉書は、例えば、郵便局で郵便区分け機などの機械処理がされると、露出した粘着剤面が他の郵便物に粘着しトラブルとなったり、著しい場合には、郵便物の重送などのトラブルになるという問題がある。
【特許文献１】特開平１０−２６４５５９号公報
【特許文献２】特開２００４−９７２０号公報
【発明の開示】
【発明が解決しようとする課題】
【０００４】
本発明は、上記のような従来の問題点に鑑み、情報を記入した葉書本体片を隠蔽用紙片で隠蔽する際に、貼り位置ズレが発生しても、粘着面がはみ出して露出することがなく、また、受取人が開封し易い隠蔽葉書を提供するものである。
【課題を解決するための手段】
【０００５】
上記課題を解決するために、請求項１記載の本発明は、基紙の略中央に設けられた折目線を介して、葉書本体片と隠蔽用紙片とが連接され、前記隠蔽用紙片上に、前記折目線にて二つ折りされ内側となる面に接着剤層を介して、上面に透明な粘着剤層及び下面に剥離剤層を有する透明性シートと、剥離紙とが順次重ねられた葉書において、前記隠蔽用紙片の寸法が葉書本体片寸法より小さくされていることを特徴とするものである。
【０００６】
請求項２記載の本発明は、請求項１記載の発明のおいて、前記透明シートの下面側における一側端縁部に、前記透明シートの下面の一部と、前記隠蔽用紙片の上面の一部とが直接接着されていることを特徴とするものである。
【０００７】
請求項３記載の本発明は、基紙の略中央に設けられた折目線を介して、葉書本体片と隠蔽用紙片とが連接され、前記隠蔽用紙片上に、前記折目線にて二つ折りされ内側となる面に剥離剤層が設けられ、接着剤層を介して、上面に透明な粘着剤層を有する透明性シートと、剥離紙とが順次重ねられた葉書において、前記隠蔽用紙片の寸法が葉書本体片寸法より小さくされていることを特徴とするものである。
【０００８】
請求項４記載の本発明は、請求項３記載の発明において、前記透明シートの下面側における一側端縁部に、前記透明シートの下面の一部と、前記隠蔽用紙片の上面の一部とを直接接着されていることを特徴とするものである。
【０００９】
請求項５記載の本発明は、請求項３又は４記載の発明において、剥離剤層に着色し、隠蔽性を向上させることを特徴とするものである。
【発明の効果】
【００１０】
本発明の隠蔽葉書は、隠蔽用紙片の寸法が葉書本体片より、小さいために、情報記入された葉書本体片を略中央に設けた折目線で二つ折りして隠蔽用紙片で隠蔽する際に、折り曲がり等が発生しても、隠蔽用紙片に設けられている粘着剤が露出した状態にならず、したがって、例えば、郵便局で郵便区分け機などで機械処理しても重送などのトラブルが防止できるという効果を奏する。
【００１１】
また、隠蔽用紙片の寸法が葉書本体片よりも、小さいために、受取人は開封時に、開封が容易になるという効果を有する。また、透明シートの下面側における一側端縁部に、透明シート下面の一部と、隠蔽紙片の一部が直接接着されているために、透明シートが基紙から誤って剥離されることを防止できる。
【００１２】
また、剥離剤層に着色することにより隠蔽用紙片の隠蔽性が増し、機密性の向上が図れるとともに、隠蔽用紙片の厚みを薄くできコストダウン及び廃棄物の減容化が図れるという効果を有する。
【発明を実施するための最良の形態】
【００１３】
以下図面を用いて、本発明の実施形態について説明する。
図１は、本発明の隠蔽葉書の一実施形態を示す斜視図、図２は、図１のＡ−Ａ線断面図、図３は、本発明の隠蔽葉書の一実施形態の剥離紙の一部を剥離させた状態を示す断面図、図４は、本発明の隠蔽葉書の一実施形態で隠蔽用紙片を葉書本体片に接着させた状態を示す断面図、図５は、本発明の一実施形態で葉書の受取人が葉書を見開きにした状態を示す断面図、図６は、本発明の一実施形態で葉書の受取人が葉書を見開いた状態を説明するための斜視図である。図７は本発明の他の実施形態を示す図１のＡ−Ａ線に相当する断面図である。
【００１４】
図１に示すように本発明の隠蔽葉書１は、基紙２の略中央に設けられたミシン目３（折目線に対応）を介して、葉書本体片１０とミシン目３に平行な辺となる縦と、ミシン目３に直交する辺となる横の寸法が該葉書本体片１０よりもともに、短い寸法の隠蔽用紙片２０とが折畳み可能に連接されている。
【００１５】
そして、葉書本体片１０の上面には、情報記入欄１１が設けられている。また、隠蔽用紙片２０の上面には、透明シート２１と剥離紙２２とが順次重ねられ、剥離紙２２の表面には隠蔽葉書１の使用説明や剥離紙２２の剥離箇所の指示等が印刷されている。
【００１６】
図２を用いて、本発明の隠蔽葉書の構成を詳しく説明する。図２に示すように、隠蔽用紙片２０の上面には、酢酸ビニル系やアクリル系やあるいはその混合系や合成ゴム系等の合成樹脂エマルジョンタイプなどの接着剤を用いた接着剤層２３を介して、下面にミシン目３に近接する透明シート２１の一側端縁部を除き（以下、強接着部２６と呼称する）、剥離剤層２４を設けた透明シート２１が強接着部２６を除き剥離可能に積層されている。剥離剤層２４はウレタンアクリレート、アクリレート等を主成分とするＵＶインキを用いて、パターン状にオフセット印刷、活版印刷等により形成される。尚、剥離性は前記ＵＶインキにシリコン系の材料を適宜に添加して調整してもよい。さらに、該透明シート２１の上面には、透明な粘着剤層２５が設けられ、その上面に剥離紙２２が剥離可能に貼付されている。粘着剤層２５に用いる粘着剤は、アクリル系、ゴム系等が使用され、エマルジョンタイプ、溶剤タイプいずれでもよい。該透明シート２１の基材にはグラシン紙等の透明性のある紙やプラスチックフィルムや不織布が用いられるが、廃棄性、分別回収性の面からグラシン紙等の紙基材が望ましい。また、強接着部２６は透明シート２１の下面の一部と隠蔽用紙片２０の上面の一部が直接、接着され、剥離困難に接着されている。該強接着部２６を設けることにより、隠蔽葉書１の使用者が、剥離紙２２を剥離する際に、剥離紙２２のミシン目３に近接した端部から指で剥離紙２２を剥離したときに剥離紙２２のみが容易に剥離でき、透明シート２１が基紙２から誤って剥離されないように保護されている。また、隠蔽用紙片の下面には、ベタ印刷あるいは地紋印刷などを施してもよく隠蔽性の要求度合いから適宜選択すればよい。
【００１７】
次に、図３〜６を用いて本発明の実施形態に係る隠蔽葉書を使用する手順について説明する。まず、隠蔽葉書１の利用者は、図３に示すように、葉書本体片１０の上面に設けられた情報記入欄１１に個人情報等の必要事項を記入し、必要に応じて、葉書本体片１０の下面に設けられた宛先記入欄を記入する。次に、剥離紙２２の一端部を指で掴み剥離紙２２を剥離し、粘着剤層２５を露出させる。この場合、前述の通り、強接着部２６により透明シート２１が基紙２から誤って剥離されないように保護させている。その後、ミシン目３から隠蔽用紙片２０を折畳んで、図４に示すように、粘着剤層２５の面を葉書本体片１０の上面に設けられた情報記入欄１１に重ね合わせて接着することにより情報記入欄１１が隠蔽される。そして、単体葉書として投函すればよい。
【００１８】
次に、この葉書を受け取った受取人は、図５、図６に示すように隠蔽用紙片２０の一端部を摘んで剥離すると、隠蔽用紙片２０に設けられている接着剤層２３と透明シート２１に設けられている剥離剤層２４との界面から剥離され、葉書本体片１０の情報記入欄１１に記載された内容を、透明シート２１を透して視認できるものである。また、接着剤層２３と剥離剤層２４とは再接着が困難なために、第三者に開封され盗み見された場合、その事実が残り確認可能であり、また第三者に開封されることを未然に防ぐことができる。
【００１９】
次に、図７を用いて、本発明の他の実施形態について説明する。前記の実施形態と構成及び機能が異なる部分のみ符号を変え、同じ部分は同符号を用い重複する部分は説明を省略する。図７に示すように、隠蔽用紙片２０の上面には、ミシン目３に近接する一部分を除き（以下、強接着部３６と呼称する）、着色剥離剤層３４を設け、さらに接着剤層３３を介して、透明シート２１が強接着部３６を除き剥離可能に積層されている。着色剥離剤層３４は墨、セピア等の濃色あるいはそれらの混色で着色されたＵＶインキでパターン状に印刷され形成されている。剥離性は前記ＵＶインキにシリコン系の材料を適宜に添加して調整してもよい。さらに、該透明シート２１の上面には、透明な粘着剤層２５が設けられ、その上面に剥離紙２２が剥離可能に貼付されている。前記構成にすることにより隠蔽紙片２０の隠蔽性が著しく向上し、基紙２の厚みを薄くすることが可能になるものである。また、隠蔽性が十分であれば着色せずに剥離剤のみでもよい。該隠蔽葉書の使用方法は前述の説明通りであるが、この葉書を受け取った受取人は、隠蔽用紙片２０の一端部を摘んで、剥離すると隠蔽用紙片２０に設けられている着色剥離剤層３４と、透明シート２１に接着している接着剤層３３との界面から剥離され、隠蔽用紙２０の上面に着色剥離剤層３４が残り、葉書本体片１０の情報記入欄１１に記載された内容を、透明シート２１を透して視認できるものである。尚、本発明の実施形態では、透明シート２１の下面側における一側端縁部に、該透明シート２１の下面の一部と、前記隠蔽用紙片２０の基紙２の上面の一部とが直接接着されている例を示したが、前記のような直接接着されている部分を設けなくても同じ効果が得られるものである。
【産業上の利用可能性】
【００２０】
通信販売申込書等の親展通知情報を伴う通信媒体に利用できる。
【図面の簡単な説明】
【００２１】
【図１】本発明の隠蔽葉書の第一実施形態を示す斜視図。
【図２】図１のＡ−Ａ線断面図。
【図３】本発明の隠蔽葉書の一実施形態の剥離紙の一部を剥離させた状態を示す断面図。
【図４】本発明の隠蔽葉書の一実施形態で隠蔽用紙片を葉書本体片に接着させた状態を示す断面図。
【図５】本発明の一実施形態で葉書の受取人が葉書を見開きにした状態を示す断面図。
【図６】本発明の一実施形態で葉書の受取人が葉書を見開いた状態を説明するための斜視図。
【図７】本発明の他の実施形態を示す図１のＡ−Ａ線に相当する断面図。
【符号の説明】
【００２２】
１                                    隠蔽葉書
２                                    基紙
３                                    ミシン目
１０                                    葉書本体片
１１                                    情報記入欄
２０                                    隠蔽用紙片
２１                                    透明シート
２２                                    剥離紙
２３、３３                              接着剤層
２４                                    剥離剤層
２５                                    粘着剤層
２６、３６                              強接着部
３４                                    着色剥離剤層
【図１】
2006255917.tif 000003
【図２】
2006255917.tif 000004
【図３】
2006255917.tif 000005
【図４】
2006255917.tif 000006
【図５】
2006255917.tif 000007
【図６】
2006255917.tif 000008
【図７】
2006255917.tif 000009